(57)【要約】【課題】フラップ吸収体の厚みを薄くし、フラップ吸収体の液保持性を高くし、且つフラップ吸収体における液戻りを少なくすることができる、フラップ吸収体を備えた後方フラップを有する吸収性物品を提供すること。【解決手段】実質的に縦長の吸収性本体２と、吸収性本体２における少なくとも後方部の両側部それぞれから幅方向外方に延出する一対の後方フラップ３，３とを有する吸収性物品であって、後方フラップ３は、フラップ表面シート３１、フラップ裏面シート３２及びこれらの間に介在するフラップ吸収体３３を備えており、フラップ吸収体３３は、繊維材料からなるシートで構成され、散点状に分散配置された液保持部と該液保持部を囲繞し且つ該フラップ吸収体３３の全域に亘って連続して延びる液拡散部とを有している。【選択図】図２
2008119050.tif 000002
【特許請求の範囲】
【請求項１】
実質的に縦長の吸収性本体と、該吸収性本体における少なくとも後方部の両側部それぞれから幅方向外方に延出する一対の後方フラップとを有する吸収性物品であって、
前記後方フラップは、フラップ表面シート、フラップ裏面シート及びこれらの間に介在するフラップ吸収体を備えており、
前記フラップ吸収体は、繊維材料からなるシートで構成され、散点状に分散配置された液保持部と該液保持部を囲繞し且つ該フラップ吸収体の全域に亘って連続して延びる液拡散部とを有している吸収性物品。
【請求項２】
前記液保持部は、前記シートの構成繊維を機械的により分けて形成された開孔部からなり、前記液拡散部は、より分けられた該繊維が密集して高密度化されて形成されている請求項１記載の吸収性物品。
【請求項３】
前記フラップ吸収体は、多数の開孔部を有するスパンレース不織布からなり、該開孔部により前記液保持部が形成されていると共に、非開孔部により前記液拡散部が形成されている請求項２記載の吸収性物品。
【請求項４】
前記液保持部は、前記液拡散部よりも低密度に形成されている請求項１記載の吸収性物品。
【請求項５】
前記液拡散部は、前記シートの一部を圧搾することにより高密度化され形成されている請求項４記載の吸収性物品。
【請求項６】
前記フラップ吸収体は、エンボス加工されたエアスルー不織布からなり、エンボス部により前記液拡散部が形成されていると共に、非エンボス部により前記液保持部が形成されている請求項５記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品には、吸収性本体と、該吸収性本体の両側部それぞれから幅方向外方に延出する一対の後方フラップとを有するものがある。後方フラップとは、吸収性本体から延出した状態で折り返されることなくショーツ等の下着に装着されて用いられるもので、下着のクロッチ部の外面側に折り返されて用いられるウイング部とは異なるものである。
また、後方フラップを有する生理用ナプキンにおいて、後方フラップに吸収体（以下「フラップ吸収体」という）を配し、吸収性本体から溢れた体液を後方フラップにおいて吸収できるようにして、生理用ナプキン全体としての防漏性を向上させる技術が知られている（例えば、下記特許文献１参照）。
【０００３】
【特許文献１】特開２０００−１８９４５９号公報
【発明の開示】
【発明が解決しようとする課題】
【０００４】
フラップ吸収体を備えた後方フラップを有する生理用ナプキンにおいては、フラップ吸収体の厚みが薄く、フラップ吸収体の液保持性が高く、フラップ吸収体における液戻り（一旦吸収した液が漏れ出すこと）が少ないことが望まれている。しかし、特許文献１記載の生理用ナプキンにおいては、これらの点を改善することについて十分に考慮されておらず、これらの点について更なる改善が望まれている。
【０００５】
従って、本発明の目的は、フラップ吸収体の厚みを薄くし、フラップ吸収体の液保持性を高くし、且つフラップ吸収体における液戻りを少なくすることができる、フラップ吸収体を備えた後方フラップを有する吸収性物品を提供することにある。
【課題を解決するための手段】
【０００６】
本発明は、実質的に縦長の吸収性本体と、該吸収性本体における少なくとも後方部の両側部それぞれから幅方向外方に延出する一対の後方フラップとを有する吸収性物品であって、前記後方フラップは、フラップ表面シート、フラップ裏面シート及びこれらの間に介在するフラップ吸収体を備えており、前記フラップ吸収体は、繊維材料からなるシートで構成され、散点状に分散配置された液保持部と該液保持部を囲繞し且つ該フラップ吸収体の全域に亘って連続して延びる液拡散部とを有している吸収性物品を提供することにより、上記目的を達成したものである。
【発明の効果】
【０００７】
本発明の吸収性物品によれば、フラップ吸収体の厚みを薄くし、フラップ吸収体の液保持性を高くし、且つフラップ吸収体における液戻りを少なくすることができる。
【発明を実施するための最良の形態】
【０００８】
以下、本発明の吸収性物品について、その好ましい一実施形態に基づき図面を参照しながら説明する。
本実施形態の吸収性物品は、生理用ナプキン１であり、図１〜図３に示すように、実質的に縦長の吸収性本体２と、吸収性本体２における少なくとも後方部Ｂの両側部それぞれから幅方向外方に延出する一対の後方フラップ３，３と、吸収性本体２における前方部Ａの両側部それぞれから幅方向外方に延出する一対のウイング部４，４とを有している。
【０００９】
一般に、後方フラップ３を有する生理用ナプキン１は、夜間用の生理用ナプキンとして用いられる。夜間用の生理用ナプキンは、その着用時間が長時間に亘るため着用中に排泄される液の量も多くなり、多量の液を吸収し保持する高い吸収力及び保持力が必要とされる。そのため、後方フラップ３を有する生理用ナプキン１は、ある程度の大きさを有していることが好ましく、その長さは、好ましくは２６ｃｍ以上であり、更に好ましくは３０ｃｍ以上である。
【００１０】
本実施形態において、「前方部Ａ」とは、使用時において着用者の前方側に位置する部分を意味し、具体的には、吸収性本体２の長手方向中央部よりも前側に位置する部分である。また、「後方部Ｂ」とは、使用時において着用者の後方側に位置する部分を意味し、具体的には、吸収性本体２の長手方向中央部よりも後側に位置する部分である。「少なくとも後方部Ｂ」とは、後方フラップ３の一部が前方部Ａから延出している形態を含む意味である。
【００１１】
また、特に明記のない限り、「長手方向」とは、吸収性物品（吸収性本体２）の長手方向に沿う方向であり、「幅方向」とは、吸収性物品（吸収性本体２）の幅方向に沿う方向である。また、「上面」及び「下面」とは、それぞれ吸収性物品の展開状態における上面及び下面のことである。
【００１２】
吸収性本体２は、図２及び図３に示すように、液透過性の本体表面シート２１、液保持性の本体吸収体２３及び液不透過性又は撥水性の本体裏面シート２２を備えている。本体表面シート２１は、本体吸収体２３の上面全域を被覆している。本体裏面シート２２は、本体吸収体２３の下面全域を被覆している。
このように、吸収性本体２は、本体表面シート２１、本体吸収体２３及び本体裏面シート２２の順で積層した積層体からなる。
【００１３】
本体吸収体２３は、上層本体吸収体２３ａと下層本体吸収体２３ｂとの積層体からなる。上層本体吸収体２３ａは、平面視で下層本体吸収体２３ｂよりも長さ及び幅が短くなっている。また、上層本体吸収体２３ａは、下層本体吸収体２３ｂとは接合されていない。上層本体吸収体２３ａは、下層本体吸収体２３ｂにおける長手方向及び幅方向の中央寄りに位置しており、延いては吸収性本体２における長手方向及び幅方向の中央寄りに位置している。即ち、上層本体吸収体２３ａは、吸収性本体２における排泄部と当接する部位において下層本体吸収体２３ｂよりも幅狭な中高領域を形成している。このように排泄部近傍において中高領域が形成されその周囲に溝が設けられているため、本実施形態においては、生理用ナプキン１の装着時に装着者の股下部の前後方向の曲線形状にフィットし易くなり、後方フラップ３による防漏効果が向上する。
【００１４】
上層本体吸収体２３ａの周囲には、図１に示すように、本体表面シート２１と下層本体吸収体２３ｂとが一体的に圧密化されて形成された中央溝Ｄ１が設けられている。中央溝Ｄ１は、高い圧搾により深く凹んだ部分と低い圧搾により浅く凹んだ部分とからなる段構造を有している。中央溝Ｄ１が上層本体吸収体２３ａを包囲するように設けられていることによって、上層本体吸収体２３ａの型崩れ防止、ヨレ防止及び液拡散防止の各効果が奏される。尚、中央溝Ｄ１は、上層本体吸収体２３ａの全周に亘って設けられていることが好ましいが、上層本体吸収体２３ａの周囲を部分的に包囲するように、例えば、幅方向両側部のみに沿うように設けられていてもよい。
【００１５】
吸収性本体２の前方部Ａ及び後方部Ｂにおいては、本体表面シート２１と下層本体吸収体２３ｂとが一体的に圧密化されて形成された前方溝Ｄ２及び後方溝Ｄ３が設けられている。前方溝Ｄ２は、吸収性本体２の前端に向かって凸に湾曲した略半円弧状であり、後方溝Ｄ３は、吸収性本体２の後端に向かって凸に湾曲した略半円弧状である。前方溝Ｄ２及び後方溝Ｄ３は、中央溝Ｄ１の外側に設けられており、前方溝Ｄ２の後端及び後方溝Ｄ３の前端が連結されて閉じた環を形成している。また、前方溝Ｄ２と後方溝Ｄ３との連結部分は、中央溝Ｄ１の長手方向に延びる部分とも連結している。
【００１６】
次に本実施形態の生理用ナプキン１における後方フラップ３について説明する。後方フラップ３は、図１に示すように、吸収性本体２から延出した状態で折り返されることなくショーツ等の下着の内面に装着されて用いられるものである。ただし、後方フラップ３は、生理用ナプキンの個装形態等においてコンパクトにするために吸収性本体２の上面側又は下面側に折り返してもよい。本実施形態における後方フラップ３は、後方部Ｂに配されており、前方部Ａから後方部Ｂに向けて幅が拡がる形状を有している。
【００１７】
後方フラップ３は、図４に示すように、生理用ナプキン１の肌当接面側に位置するフラップ表面シート３１、非肌当接面側に位置するフラップ裏面シート３２及びこれらの間に介在するフラップ吸収体３３を備えている。フラップ表面シート３１は、フラップ吸収体３３の上面全域を被覆しており、フラップ裏面シート３２は、フラップ吸収体３３の下面全域を被覆している。フラップ吸収体３３は、平面視で、後方フラップ３を一回り小さくした形状を有している。
【００１８】
フラップ吸収体３３は、繊維材料からなるシート（以下繊維シートともいう）で構成され、図５に示すように、散点状に分散配置された液保持部６と該液保持部を囲繞し且つ該フラップ吸収体３３の全域に亘って連続して延びる液拡散部７とを有している。
【００１９】
本実施形態においては、液保持部６は、繊維シートの構成繊維を機械的により分けて形成された開孔部３３ａからなり、液拡散部７は、より分けられた該繊維が密集して高密度化されて形成された非開孔部３３ｂからなる。
【００２０】
例えば、繊維シートは多数の開孔部３３ａを有するスパンレース不織布からなり、該開孔部３３ａにより液保持部６が形成されていると共に、非開孔部３３ｂにより液拡散部７が形成されている。即ち、図４に示すように、スパンレース不織布に設けられた開孔部３３ａにおいては、フラップ表面シート３１とフラップ裏面シート３２との間に空間が形成され、該空間が一時的に液を保持する液保持部６として機能している。
【００２１】
本実施形態の生理用ナプキン１によれば、吸収性本体２の表面を伝って後方フラップ３に流れ出した液は、フラップ表面シート３１とフラップ吸収体３３とが接している非開孔部３３ｂにおいてフラップ表面シート３１からフラップ吸収体３３へと導かれるが、開孔部３３ａを取り囲む非開孔部３３ｂは、その構成繊維が密集して高密度化されているので、非開孔部３３ｂにおける液の拡散速度が、非開孔部３３ｂに液が導かれる速度よりも遅い場合や、一度に許容可能な量以上の液が導かれた場合には、過剰に導かれた液は、フラップ吸収体３３に設けられた一時的な液保持部６である開孔部３３ａに一旦保持される。開孔部３３ａに一旦保持された液は、非開孔部３３ｂにおいて拡散が充分おこなわれた時点で、徐々に非開孔部３３ｂの構成繊維間に働く毛管力によって、開孔部３３ａから非開孔部３３ｂに引き込まれ、連続して延びる非開孔部３３ｂを伝ってフラップ吸収体３３の全域に効果的に拡散する。従って、該開孔部３３ａにおいては、再び液保持が可能となり、一定時間経過後、再度同じ部分に液が流れ出た場合でも再び液を保持することができ、フラップ吸収体３３の液保持性が向上する。
【００２２】
また、液拡散部７として機能する非開孔部３３ｂが、フラップ吸収体３３の全域に亘って連続して延びているため、液が局部的に入ってきた場合にも液を広く拡散させることができ、フラップ吸収体３３における液戻りを少なくすることができる。
また、フラップ吸収体３３が繊維シートで構成されているため、フラップ吸収体３３を薄くすることができ、延いては後方フラップ３の厚みを薄くすることができるため、身体へのフィット性や動きへの追従性に優れる。また、フラップ吸収体３３が、多数の開孔部３３ａを有していることから、後方フラップ３の可撓性をさらに高めることができる。
【００２３】
後方フラップ３の（片側の）幅（生理用ナプキンの幅方向に沿う幅）は、１ｃｍ以上、好ましくは３ｃｍ以上である。後方フラップ３の幅は、個装形態から生理用ナプキンを取り出す際の取り扱い易さや生理用ナプキンの装着し易さの観点から、吸収性本体２の幅よりも短い方が好ましい。
【００２４】
フラップ吸収体３３の坪量は、好ましくは２０〜１５０ｇ／ｍ2、更に好ましくは３０〜８０ｇ／ｍ2である。また、その厚みは、好ましくは０．０５〜５ｍｍ、更に好ましくは１〜３ｍｍである。
一つの開孔部３３ａの面積は、好ましくは０．５〜５０ｍｍ2、更に好ましくは、フラップ吸収体３３の坪量が５０ｇ／ｍ2未満では１〜１０ｍｍ2、フラップ吸収体３３の坪量が５０ｇ／ｍ2以上では５〜３０ｍｍ2である。フラップ吸収体３３の坪量が５０ｇ／ｍ2未満の場合には、開孔部３３ａを囲繞する非開孔部３３ｂの繊維密度は比較的低くなるため、非開孔部３３ｂにおいても実質的な液の一時保持機能を発揮し、開孔面積が小さくても充分な液の保持機能を有する。また、フラップ吸収体３３の坪量が５０ｇ／ｍ2未満の場合、開孔部３３ａは、該開孔部３３ａを分断する数本の繊維を有しやすくなるが、このような開孔部３３ａを分断する繊維の存在によっても、液が開孔部３３ａに導かれ易くなる。開孔部３３ａの形状は特に制限されず、円形、楕円形、多角形又はこれらの組み合わせの形状や各孔ごとに不定形な形状でもよい。開孔率は、好ましくは５〜４０％、更に好ましくは１０〜３０％である。開孔率は、不織布をデジタルカメラ等で撮影して画像を取り込み、画像処理ソフトなどで面積を計算することで求められる。また、前述した開孔部３３ａを分断する繊維が存在する場合には、開孔部３３ａの配置パターン等を考慮し、該分断する繊維を除いて求めた面積を開孔部３３ａの面積として開孔率の測定をおこなう。
【００２５】
多数の開孔部３３ａを有するスパンレース不織布は、例えば、ウエブを水流交絡させる際に、該ウエブを搬送するための透水性コンベアとして、多数の凹凸を有するものを用いることで製造できる。
【００２６】
繊維シートであるスパンレース不織布の構成繊維としては、ポリエチレンテレフタラート（ＰＥＴ）繊維、ポリプロピレン（ＰＰ）繊維等の疎水性の単繊維からなるステープル、ＰＰ／ポリエチレングリコール（ＰＥＧ）、ＰＥＴ／ＰＥＧ等の分割繊維、レーヨンやキュプラ等の再生セルロース繊維、シルクやコットン等の天然繊維等を挙げることができる。本実施形態においては、液の拡散性を高める観点から、レーヨン繊維とＰＥＴ繊維の混合やＰＥＧを用いた分割繊維が好ましい。
また、これらの繊維の太さに特に制限はないが、繊維シートの柔軟性や毛管力の点から、好ましくは０．０５〜１０ｄｔｅｘ、更に好ましくは０．１〜７ｄｔｅｘである。
【００２７】
ウイング部４は、下着のクロッチ部の外面側に折り返されて用いられるもので、その位置、平面視形状等が異なる以外は、後方フラップ３と同様の構成を有している。本実施形態におけるウイング部４は、図１に示すように、下底（上底よりも長い辺）が吸収性本体２の側部側に位置する略台形形状を有している。
【００２８】
吸収性本体２、後方フラップ３及びウイング部４を構成する前記各部材は、複数の部材を一体的に構成することもできるが、それぞれ別体で構成してもよい。
本実施形態においては、図２及び図３に示すように、本体表面シート２１、一対のフラップ表面シート３１，３１及び一対のウイング表面シート４１，４１は、一つの一体表面シート１１から形成されている。また、本体裏面シート２２、一対のフラップ裏面シート３２，３２及び一対のウイング裏面シート４２，４２は、一つの一体裏面シート１２から形成されている。
【００２９】
また、下層本体吸収体２３ｂ、一対のフラップ吸収体３３，３３及び一対のウイング吸収体４３，４３は、一つの一体吸収体１３から形成され、一体化している（直接的な一体化）。尚、上層本体吸収体２３ａと一体吸収体１３とは、別体となっている。一体吸収体１３は、それぞれ別体の下層本体吸収体２３ｂ、フラップ吸収体３３及びウイング吸収体４３を、一部重ね合わせることにより形成することもできる（間接的な一体化）。
【００３０】
別の見方をすると、フラップ吸収体３３及びウイング吸収体４３は、吸収性本体２に亘って延在し、本体吸収体２３の一部（下層本体吸収体２３ｂ）と直接的あるいは間接的に一体化している。
フラップ吸収体３３が吸収性本体２に亘って延在し、本体吸収体２３の一部と一体化していると好ましい理由は、次の通りである。フラップ吸収体３３においては、体液は、本体吸収体２３を介して間接的に又は直接的に、フラップ吸収体３３における吸収性本体２近傍の領域に吸収される場合が多い。そのような場合においても、フラップ吸収体３３と一体化している本体吸収体２３の存在により、フラップ吸収体３３における吸収性本体２近傍の領域に吸収された体液は、吸収ポイントから同心円状に徐々に拡散することができるため、後方フラップ３の周縁部から漏れ出しにくい。
【００３１】
尚、フラップ吸収体３３と本体吸収体２３とが一体化されておらず、それぞれ独立（分離）している場合には、フラップ吸収体３３が吸収性本体２による液の拡散の影響を受けにくい。
【００３２】
一体表面シート１１は、本体吸収体２３及び一体吸収体１３の集合体（２３，１３）の上面全域を被覆している。一体表面シート１１の周縁部は、集合体（２３，１３）の周縁部から延出している。
また、一体裏面シート１２は、一体吸収体１３の下面全域を被覆している。一体裏面シート１２の周縁部は、一体吸収体１３の周縁部から延出している。
そして、集合体（２３，１３）の周縁部から延出している、一体表面シート１１の周縁部と一体裏面シート１２の周縁部とは、ヒートシール、ホットメルト接着剤等により接合されている。別の見方をすると、フラップ表面シート３１とフラップ裏面シート３２とは、フラップ吸収体３３の周縁部の外方において接合されている。同様に、ウイング表面シート４１とウイング裏面シート４２とは、ウイング吸収体４３の周縁部の外方において接合されている。
【００３３】
吸収性本体２と後方フラップ３との境界においては、図１及び図２に示すように、一体表面シート１１と一体吸収体１３とを圧縮接合する一対の圧縮シール線５，５が長手方向に延びるように設けられている。このように圧縮シール線５を設けることによって、圧縮シール線５がその幅方向内方において一体吸収体１３の一部（下層本体吸収体２３ｂ）へ液を導く導液効果を有するため、圧縮シール線５の幅方向外方、即ち後方フラップ３において液拡散防止効果を有する。また、圧縮シール線５の設けられている後方部Ｂにおいて可撓性が向上し、後方部Ｂにおける液漏れ防止効果が得られる。尚、圧縮シール線５の幅方向外方において、一体表面シート１１の一部（フラップ表面シート３１）と一体吸収体１３の一部（フラップ吸収体３３）とが接着剤等により接合されていない場合には、後方フラップ３のフィット性が増すと共に、液拡散防止効果が向上する。
【００３４】
後方フラップ３において、フラップ裏面シート３２はフラップ吸収体３３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。
【００３５】
吸収性本体２において、本体裏面シート２２は本体吸収体２３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。本実施形態においては、本体裏面シート２２と本体吸収体２３とは、本体裏面シート２２に塗工された接着剤により非連続的に接合されている。
【００３６】
吸収性本体２、後方フラップ３及びウイング部４の下面には、即ち、一体裏面シート１２の下面の所定位置には、ズレ止め材として、それぞれ本体粘着部、フラップ粘着部及びウイング粘着部（何れも図示せず）が設けられている。
【００３７】
生理用ナプキン１の各部の形成材料について説明する。
一体表面シート１１（本体表面シート２１、フラップ表面シート３１、ウイング表面シート４１）及び一体裏面シート１２（本体裏面シート２２、フラップ裏面シート３２、ウイング裏面シート４２）としては、それぞれ、この種の吸収性物品に従来用いられている各種材料を特に制限なく用いることができる。例えば、表面シートとしては、各種製法による不織布、樹脂フィルムに開孔を形成したもの、これらの積層体等を用いることができる。裏面シートとしては、透湿性を有するか又は有さない熱可塑性樹脂のフィルム、撥水性の不織布、これらの積層体等を用いることができる。
上層本体吸収体２３ａは、吸収性物品における吸収体として従来から用いられているものを特に制限なく用いることができる。上層本体吸収体２３ａは、嵩高で、液保持能が高いものが好ましい。
【００３８】
本実施形態の生理用ナプキン１は、吸収性本体２をショーツのクロッチ部の内面に配設すると共に、後方フラップ３を折り返すことなくショーツの内面に配設し、ウイング部４をクロッチ部の外面側に折り返して、吸収性本体２、後方フラップ３及びウイング部４をそれぞれ本体粘着部、フラップ粘着部及びウイング粘着部によりショーツの内面又は外面に止着することにより、位置ズレを防止しながら装着することができる。
【００３９】
そして、本実施形態の生理用ナプキン１においては、吸収性本体２の後方部Ｂから滲出した液や、吸収されずに流れる液を、後方フラップ３で効果的に吸収できるため、後方部Ｂからの液漏れ防止性に優れる。
同様に、吸収性本体２の前方部Ａから滲出した液や、吸収されずに流れる液を、ウイング部４で効果的に吸収できるため、前方部Ａからの液漏れ防止性に優れる。
【００４０】
次に、本発明の吸収性物品の他の実施形態について説明する。他の実施形態については、上述した第１実施形態と異なる点を主として説明し、同様の点は同一の符号を付して説明を省略する。特に説明しない点は、第１実施形態についての説明が適宜適用される。
【００４１】
第２実施形態の生理用ナプキン１は、第１実施形態に比してフラップ吸収体３の液保持部６が液拡散部７よりも低密度に形成されており、該液拡散部７は、フラップ吸収体３３を構成する繊維シートの一部を圧搾することにより高密度化されている点が主として異なる。
フラップ吸収体３３を構成する繊維シートは、エンボス加工されたエアスルー不織布からなり、エンボス部により液拡散部７が形成されていると共に、非エンボス部により液保持部６が形成されている。
【００４２】
更に詳述すると、第２実施形態においては、エアスルー不織布からなる繊維シートは、図６に示すように、上面（フラップ表面シート３１側）から下面（フラップ裏面シート３２側）に向けてエンボスされ、該エンボス部が凹陥して凹部３３ｃを形成している。凹部３３ｃは、図７に示すように、後方フラップ３の長手方向及び幅方向に連続して連なっており、凹部３３ｃに囲まれた非エンボス部は凸部３３ｄとなっている。凹部３３ｃはエンボスにより圧搾され、非エンボス部である凸部３３ｄよりも繊維が高密度化されている。第２実施形態においては、凸部３３ｄは、ドット状に千鳥配置に設けられている。凸部３３ｄの平面視における形状は、特に制限されず、円形、楕円形、多角形等又はこれらの組み合わせの形状でもよい。
【００４３】
このような構成を有するフラップ吸収体３３においては、吸収性本体２の表面を伝って後方フラップ３に流れ出した液は、低密度部である凸部３３ｄにおいて一旦保持される。その後、凸部３３ｄを囲繞する高密度部である凹部３３ｃにおいて構成繊維間の毛管力が働き、凸部３３ｄに一旦保持された液を凹部３３ｃに引き込み、フラップ吸収体３３の全域に拡散させる。即ち、第２実施形態のフラップ吸収体３３においては、低密度部である凸部３３ｄが液保持部６として機能し、高密度部である凹部３３ｃが液拡散部７として機能している。
【００４４】
第２実施形態におけるフラップ吸収体３３の坪量は、好ましくは２０〜１００ｇ／ｍ2、更に好ましくは３０〜８０ｇ／ｍ2である。一つの凸部３３ｄの平面視面積は、好ましくは１〜８０ｍｍ2、更に好ましくは１５〜５０ｍｍ2である。フラップ吸収体３３の平面視面積に占める凸部３３ｄの平面視面積の比率は、好ましくは１０〜６０％、更に好ましくは２０〜４０％である。フラップ吸収体３３の凸部３３ｄにおける厚みは、排泄された液を十分に保持する観点から、好ましくは０．２〜２ｍｍ、更に好ましくは０．５〜１ｍｍである。また、凹部３３ｃにおける厚みは、好ましくは０．０１〜０．３ｍｍ、更に好ましくは０．０２〜０．１ｍｍである。
【００４５】
フラップ吸収体３３を構成する繊維シートとしては、嵩高く、エンボス加工により高密度部と低密度部とを制御しやすい点から、カード法により積繊されたエアスルー不織布を用いることが好ましいが、エアスルー不織布の他に、エアレイド法により積繊された不織布等を用いてもよい。
【００４６】
繊維シートを構成する繊維としては、例えば、ポリエチレン（ＰＥ）、ポリプロピレン（ＰＰ）、ポリエチレンテレフタレート（ＰＥＴ）のようなポリエステル、ナイロンのようなポリアミド等の合成繊維、レーヨン及びキュプラ等の再生セルロース繊維、コットン等の天然繊維が挙げられる。第２実施形態においては、エンボス加工による高密度部と低密度部との制御を容易にする観点から、ＰＥ成分や変性ＰＰ成分のような熱融着性の良好な樹脂よりなる単繊維、それらの成分を有する複合繊維やバインダーを用いることが好ましい。
第２実施形態の生理用ナプキン１においても、第１実施形態と同様の効果が奏される。
【００４７】
本発明の吸収性物品は、前述した形態に制限されることなく、本発明の趣旨を逸脱しない限り適宜変更が可能である。また、前記各実施形態の各構成は、適宜組み合わせることができる。
ウイング部４は設けなくてもよい。またウイング部４を設けた場合においても、ウイング部４にはウイング吸収体は設けなくてもよい。
【００４８】
上層本体吸収体２３ａは、本実施形態においては吸収性本体２の長手方向及び幅方向の中央寄りに設けられていたが、吸収性本体２の長手方向の後方まで延びていてもよい。更に、フラップ吸収体３３と下層本体吸収体２３ｂとを別体で形成し、フラップ吸収体３３の幅方向内方部を、吸収性本体２の長手方向の後方まで延びた上層本体吸収体２３ａと下層本体吸収体２３ｂとの間に介在配置することができる。フラップ吸収体３３がこのように配置された場合には、上層本体吸収体２３ａにより形成された中高領域が安定的に維持され、着用者の股下部の後方に位置する臀部の隙間にフィットしやすくなる。
本体吸収体２３は、本実施形態においては上層本体吸収体２３ａと下層本体吸収体２３ｂとの積層体から構成されていたが、単層構造であってもよい。
【００４９】
本発明の吸収性物品は、生理用ナプキンに制限されず、例えば、パンティライナー（おりものシート）、失禁パッドにも適用することができる。本発明の吸収性物品が装着される下着は、ショーツに制限されない。
【図面の簡単な説明】
【００５０】
【図１】図１は、本発明の吸収性物品の一実施形態としての生理用ナプキンを示す斜視図である。
【図２】図２は、図１に示すII−II断面図である。
【図３】図３は、図１に示すIII−III断面図である。
【図４】図４は、図２における部分拡大図である。
【図５】図５は、フラップ吸収体を示す斜視図である。
【図６】図６は、本発明の吸収性物品の第２実施形態としての生理用ナプキンを示す断面図（図２対応図）である。
【図７】図７は、第２実施形態におけるフラップ吸収体を示す平面図である。
【符号の説明】
【００５１】
１  生理用ナプキン（吸収性物品）
２  吸収性本体
２１  本体表面シート
２２  本体裏面シート
２３  本体吸収体
２３ａ  上層本体吸収体
２３ｂ  下層本体吸収体
３  後方フラップ
３１  フラップ表面シート
３２  フラップ裏面シート
３３  フラップ吸収体
３３ａ  開孔部
３３ｂ  非開孔部
３３ｃ  凹部
３３ｄ  凸部
４  ウイング部
４１  ウイング表面シート
４２  ウイング裏面シート
４３  ウイング吸収体
５  圧縮シール線
６  液保持部
７  液拡散部
Ａ  前方部
Ｂ  後方部
【図１】
2008119050.tif 000003
【図２】
2008119050.tif 000004
【図３】
2008119050.tif 000005
【図４】
2008119050.tif 000006
【図５】
2008119050.tif 000007
【図６】
2008119050.tif 000008
【図７】
2008119050.tif 000009